(57)【要約】  本発明の手の甲に対する支持用品は、夜間や暗い環境で活動をする人々の安全に貢献するためのグッズである。これは手袋本来の機能を妨げず、反射性またはバックライト素材付きの部材を手袋または直接人体の手の甲に取り付けることで、手のジェスチャーによって指示または合図することで暗闇での安全性と非言語時のコミュニケーションの可能性を高める。本品の設計の独創性そして機能性は公道の使用者の安全をリーズナブルな価格で守ることができるのが特徴である。また、スポーツイベントの参加者を手で識別したり、手の甲に広告素材をアタッチさせ宣伝をすることも可能になる。【選択図】図１
2019529727.tif 000002
【特許請求の範囲】
【請求項１】
手の甲に対する支持用品であって、２つの部材（１、２）を合わせたもので構成され、第１の部材（１）は、支持部材として構成され、好ましくは織布材料からなり、第２の部材（２）は、反射性で、光を反射し、識別性または宣伝性があり、適切な何らかの手段、例えば縫合、ヒートシール、または前記支持部材（１）に対する独立性を可能にする手段などを介して前記支持部材（１）に固定できる材料で作製され、そのような支持部材（１）は、その端部に、弾性バンド（３、３’）の形態である要素を備え、それによって前記支持部材（１）を手袋（４）の上、または使用者の手（４’）の上に直接に当てる際に、手の１本、２本または３本の指と使用者の手首とにそれぞれ結び付けて固定することが可能であるという特別な特性を有することを特徴とする、手の甲に対する支持用品。
【請求項２】
織布材料製の前記支持部材（１）は、当てる対象の前記手袋（４）または前記手（４’）の甲の長尺と一致する長尺を有することを特徴とする、請求項１に記載の手の甲に対する支持用品。
【請求項３】
前記支持部材（１）は、本質的に長方形の構成であることを特徴とする、請求項２に記載の手の甲に対する支持用品。
【請求項４】
前記手袋（４）の指および手首に対して調整する前記弾性バンド（３、３’）は、前記弾性バンド（３、３’）の幅を調節するための調整手段（５）を含むことを特徴とする、請求項１に記載の手の甲に対する支持用品。
【請求項５】
デジタルの画面またはディスプレイを備えることができ、タッチ技術の有無にかかわらず、前記画面は、前記画面に送信された情報、メッセージまたは画像を、自動で、またはＩＴ機能を有する電話または時計などの他の装置に無線接続を介して、または直接データネットワークに視覚化することを可能にすることを特徴とする、請求項１に記載の手の甲に対する支持用品。
【請求項６】
前記２つの部材（１、２）との間に画成された小さなポケットを含み得ることを特徴とする、請求項１に記載の手の甲に対する支持用品。
【請求項７】
前記第１の部材（１）には、横断する縫い目の様々な平行線があり、前記線は、前記弾性バンドを手首に固定する位置を決める通路を定めることを特徴とする、請求項１に記載の手の甲に対する支持用品。
【発明の詳細な説明】
【技術分野】
【０００１】
本発明は、手袋又は直接手に取り付けられる支持用品に関する。手袋自体に取り付けたままで利用をするか、手袋とは個別に利用することができる。その利用方法として、サインを送るための反射光を使っており、宣伝広告にも利用でき、識別を必要とされる分野に応用させることもできる。
【０００２】
本発明の手の甲に対する支持用品は、道路で安全に通行するための識別用、誘導や暗い環境で通常以上に視覚確認を必要とする現場等の作業員が個々に使用するための補助器具として利用することができる。同様に本発明の支持用品は、スポーツなどのイベントにおいて、競技者や参加者に手袋を着用させて識別したり、またはその部分に広告をプリントして使用したり、競技者の合図、マーキングに適用するなどの使い道がある。
【背景技術】
【０００３】
夜間、暗闇の中で行われる作業の多くは、視認できる作業服、反射タイプ、蛍光灯、さらにはバックライトを使用することが推奨されている。レジャー関係でもこういうコスチュームが必要になる様々な例がある。例えばサイクリング、オートバイ、陸上競技、乗馬にスキーなどが挙げられる。他には、警官、消防士、交通整理、国家治安部隊の職員、または暗い場所で作業をする一般または専門の労働者等でも必要である。
【０００４】
異なる反射や照明技術を用いて人々の視認を容易にする目的で、それによってその人が光の反射または発光自体によって外部から存在確認され、個人の安全性を改善するという目的を果たすための既存の作業服などは多数あり、さかんに製造もされている。例をあげれば、反射ベストや反射ハーネス、アンクルストラップまたはリストバンド、ヘルメット、リュックサック、ブーツなどにアタッチするアクセサリーが挙げられ、これらの付随品により人々のための視認伝達法が改善されてきている。
【０００５】
しかしながら、手の部分だけをターゲットにした場合、現在利用可能な唯一の選択肢は、手袋だけで、手袋そのものに発光性をもたせているか、手袋にバックライトが装填されているタイプしかない。
【０００６】
手というものは体表面の一部を呈し、その動きを手振りで示すことができるため、暗闇の中での視認目的として反射させたり、バックライトの類を付帯させることができる非常に有用な身体の部位と言える。例えば、自転車やバイクに乗るとき、操作上、手が一番使用されるので、その手に反射要素が付帯していれば、他人から視覚的に認識してもらうのに大変有効である。
【０００７】
このことは、個人の手による指示やジェスチャーで交通規制を行う警察官や交通巡視員にも該当する。手を動かす際、その手は非常に特徴的で連続的な動きをとっている。暗闇の中で作業する人の手に何らかの反射材料やバックライトが付いていれば、より他者から認識され易くなり、ランナーであればランナー自身の安全も保証される。
【０００８】
一方、手袋は試合や競技会の参加者を識別するためや、または宣伝広告の用途に最適だと考えられる。ただ現在参加者の手の甲の部分をこのような用途に利用しているものは考案されていない。
【発明の概要】
【発明が解決しようとする課題】
【０００９】
本発明の手の甲に対する支持用品の用途は、視認性である。要するに安全性を向上させるための反射要素を提供するため、反射をし、バックライトの役割を果たし、識別または宣伝用の材料を手袋でまたは直接手につけることで効果があることである。暗闇の中での作業者、または人体を認識するための標示にもなり、スポーツの競技会の参加者がつけることで、スポンサーの広告にも利用できる。
【課題を解決するための手段】
【００１０】
本支持用品本体は平らで柔らかな織布とプラスチックの表面からなり、固定手段は様々な方法が考えられる。完全に取りつけてしまう（縫合、接着剤での接着、ヒートシールなどで）または取り外し可能にする（取り外しが簡単なマジックテープ（登録商標）、バックルなどで）ことができる。本支持用品は反射で光り、バックライトはフィックスタイプにも点滅タイプにもでき、視認用広告宣伝用として使うことができる。
【００１１】
本支持用品は、手の甲のゾーンに適した形状および寸法でできており、装着すると反射する機能が付加される。
【００１２】
一般に、おおよその形状と寸法は、幅約５センチ、長さ１５センチで、全体が長方形の形をしており、Mサイズの人に、手袋なら一般的な厚みのあるものに合うように作られる。そして本支持用品は手の甲の手首から指の付け根のところまでに取り付けるようになっている。
【００１３】
使用者の手袋に固定するために、本支持用品の上部と下部に弾性バンドが付いており、両バンドには長さの調整ができる調整手段が付いて、１本は手首の部分に固定される。直径が小さい方の弾性バンドは指の付け根にはめて固定される。親指以外の指を１本から２，３本まとめて装着できるサイズになっている。
【００１４】
このようにして、本支持用品は、一方を手首に固定し、他方を１〜複数本にフィットさせるフィンガーリング状にして、弾性バンドによって手の甲に固定する。基本的には中指と薬指の二本の指の付け根の部分に弾性バンドをかけるが、人差し指と中指、さらには薬指と小指、あるいは小さい手の場合は３本の連続した指の組み合わせにも装着できる。
【００１５】
手首と指の付け根に一旦装着すると本支持用品の弾力性や柔軟性およびゆとりのある造りのおかげで、手の自然な動きが可能になる。手指を伸ばしたり、動かしたり、その他様々な状況においても動かしづらくならないようにできているため、運転中の自転車またはオートバイのブレーキ、クラッチまたはアクセルレバーを操作するために必要な動きに対応する。
【００１６】
本支持用品および調節可能な弾性バンドの寸法は、使用者が着用する手のサイズおよび手袋の厚さに適合させる必要があり、異なる状況にあわせて、個人で寸法合わせを行う必要がある。付属品の調整は、できるだけ付帯の織布素材または製品のメーカーの製造技術に沿って行う必要がある。
【００１７】
いずれにせよ、調整のための作り直しは簡単で、弾性バンドを適切なサイズに切断または穴開けをして、調整手段付き弾性バンドを縫合し直すかヒートシールなどの簡単なものを使って行う。断続、点滅光反射またはバックライトでの識別を可能にする方の部材も同様に、縫合、接着、ヒートシール等を使って適合させることができる。こうしてそれぞれの部材を分けて使う事も可能になる。
【００１８】
反射材を位置づけしやすいように本体には縦方向の位置決めを調整することができるようにラインが入っていて、弾性バンドを取り付ける方の部材には配置領域を決定する縫い目の横線で異なる平行線の縫い目が入れてある。この線に沿って各ニーズに適応させることができる。
【００１９】
本支持用品は２つの層が重なった形で成り立っており、間に空間があるため、その空間を実用的に利用すれば、鍵、コイン、紙片、手元に必要なカード類（スキー場のリフト用のパスなど）などの小さな対象物用の一種のポケットにすることが可能である。
【００２０】
有利には本支持用品は、送配信された情報を見るためのスクリーンやデジタルディスプレイ（ＬＣＤ、ＯＬＥＤ、電子インクなど）をタッチ技術の有無に関わらず装填できる。このようなスクリーンはスクリーン単体が動作するものでもスマートフォンや時計などの他のデバイスに直接接続するなどしてデータネットワークに接続させることができる。
【００２１】
要するに、本支持用品は広告や識別要素として使用することができる手の甲に対する支持用品であり、例えば紋章等を刺繍されたものやステッカーを本支持用品につけることで、広告にも使え、使用する手袋を視覚化できることになる。
【００２２】
これまでの説明を補足し、また本発明の特徴をより良く理解していただくために、ここで図解説明をし、必要不可欠な部分を、一例としてあげる。これらの図解が全てというわけではない。
【図面の簡単な説明】
【００２３】
【図１】本支持用品の２つの部材に対応する図であり、調節および固定の弾性バンドが反射材本体をのせる部材（１）に従来の方法で基本位置に装填されている。
【図２】手袋の内側にもつけられるが、実用的な用途として手袋の外側にアクセサリーをつけた斜視図。
【図３】支持用品を直接手につける実用的な応用の透視図。
【発明を実施するための形態】
【００２４】
記載された図を見ると、本支持用品は２つの部材（１、２）の結合によって構成され、そのうちの第１の部材（１）は織布材料のものが好ましく、本質的に長方形で構成される。第１の部材（１）とその上にのせる第２の部材（２）のそれぞれを固定するために、第１の部材（１）は縫合するかヒートシールで固定する。または他の任意の手段で取り外しができる固定方法によって本支持用品を完成させることができる。ここで、織布であることにより論理的に柔軟な性質の第１の部材（１）は、その端部に弾性バンド（３、３'）が付いていて、手の甲の部分に手首から指の付け根までの部位に縦方向に反射材がのるように構成される。弾性バンド（３）は、手袋（４）の１本、２本、さらには３本の使用者の指に取り付けるためのもので、弾性バンド（３'）は手首に固定されるためのものである。
【００２５】
両方の弾性バンド（３、３'）にある調整手段（５）をそのまま利用し、指の方はその太さに合わせ、手首の方も手首に巻き付けることができる。調整手段（５）以外の適切な留め具を使って調整することも可能である。
【００２６】
第２の部材は、プラスチック、織布または他の任意の適切な材料で作ることができ、その部位には図にあるように反射、バックライト、識別または広告する領域と第１の部材に取り付ける側のサイドライン（２、２'）の部位からなる。
【図１】
2019529727.tif 000003
【図２】
2019529727.tif 000004
【図３】
2019529727.tif 000005
【国際調査報告】
2019529727.tif 000006
2019529727.tif 000007
2019529727.tif 000008
2019529727.tif 000009